【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
フォーカシングに際して移動するフォーカスレンズ系を有する主レンズ系と、全系の焦点距離を拡大するコンバータレンズ系を有する光学系であって、
前記コンバータレンズ系は、フォーカシングに際して前記フォーカスレンズ系が移動することで形成される空間に挿抜可能であり、
前記コンバータレンズ系は、光軸方向で最も広い空気間隔を境に分けられた、負の屈折力のレンズ部Ｇｎと前記レンズ部Ｇｎの像側に配置された正の屈折力のレンズ部Ｇｐより構成され、
前記レンズ部Ｇｎの焦点距離をｆＮ、前記レンズ部Ｇｐの焦点距離をｆＰとするとき、
−９．３＜ｆＰ／ｆＮ＜−１．０
なる条件式を満足することを特徴とする光学系。
【請求項２】
前記コンバータレンズ系の最も物体側のレンズ面の曲率半径をＲｆ、最も像側のレンズ面の曲率半径をＲｒとするとき、
２．０＜（Ｒｆ＋Ｒｒ）／（Ｒｆ−Ｒｒ）＜１００．０
なる条件式を満足することを特徴とする請求項１に記載の光学系。
【請求項３】
前記レンズ部Ｇｎの最も像側のレンズ面の曲率半径をＲｎｒ、前記レンズ部Ｇｐの最も物体側のレンズ面の曲率半径をＲｐｆとするとき、
−６００．０＜（Ｒｎｒ＋Ｒｐｆ）／（Ｒｎｒ−Ｒｐｆ）＜０．０
なる条件式を満足することを特徴とする請求項１又は２に記載の光学系。
【請求項４】
前記レンズ部Ｇｎは、物体側に凹面を向けたメニスカス形状の正レンズと前記正レンズの像側に配置され両レンズ面が凹形状の負レンズとを接合した接合レンズより構成され、前記レンズ部Ｇｐは像側が凸形状の正レンズより構成されることを特徴とする請求項１乃至３のいずれか１項に記載の光学系。
【請求項５】
前記光学系はズームレンズであり、前記コンバータレンズ系を光軸上に配置したときの前記コンバータレンズ系の最も像側のレンズ面から像面までの光軸上の距離をＳｋ、前記コンバータレンズ系を光軸上に配置していないときの望遠端における前記主レンズ系の最も物体側のレンズ面から像面までの光軸上の距離をＴＤとするとき、
０．００５＜Ｓｋ／ＴＤ＜０．０６０
なる条件式を満足することを特徴とする請求項１乃至４のいずれか１項に記載の光学系。 
【請求項６】
前記光学系はズームレンズであり、望遠端における前記フォーカスレンズ系の最も像側のレンズ面から像面までの光軸上の距離をＳＳｋ、前記コンバータレンズ系の光軸上の厚みをＣＴＤとするとき、
０．５０＜ＳＳｋ／ＣＴＤ＜１．４０
なる条件式を満足することを特徴とする請求項１乃至５のいずれか１項に記載の光学系。 
【請求項７】
前記光学系はズームレンズであり、前記コンバータレンズ系を光軸上に配置していないときの望遠端における無限遠合焦状態から、前記コンバータレンズ系を光軸上に配置する状態になるまでの前記フォーカスレンズ系の移動量をＭ、前記コンバータレンズ系の光軸上の厚みをＣＴＤとするとし、移動量の符号は、物体側に移動するときを正、像側に移動するときを負とするとき、
０．５０＜Ｍ／ＣＴＤ＜１．４０
なる条件式を満足することを特徴とする請求項１乃至６のいずれか１項に記載の光学系。 
【請求項８】
前記光学系はズームレンズであり、前記コンバータレンズ系を光軸上に配置していないときの望遠端における前記主レンズ系の最も物体側のレンズ面から像面までの光軸上の距離をＴＤ、前記コンバータレンズ系を光軸上に配置したときの前記主レンズ系の最も物体側のレンズ面から像面までの光軸上の距離をＴＤＡとするとき、
ＴＤ／ＴＤＡ＝１．０
なる条件式を満足することを特徴とする請求項１乃至７のいずれか１項に記載の光学系。 
【請求項９】
前記光学系はズームレンズであり、
前記コンバータレンズ系を光軸上に配置していないときの望遠端において、前記フォーカスレンズ系が移動することで形成される空間に前記コンバータレンズ系が光軸上に配置されることを特徴とする請求項１乃至８のいずれか１項に記載の光学系。
【請求項１０】
前記主レンズ系は物体側から像側へ順に配置された、正の屈折力の第１レンズ群、負の屈折力の第２レンズ群、正の屈折力の第３レンズ群、負の屈折力の第４レンズ群、正の屈折力の第５レンズ群より構成され、ズーミングに際して隣り合うレンズ群の間隔が変化し、
前記第５レンズ群は前記フォーカスレンズ系であることを特徴とする請求項９に記載の光学系。
【請求項１１】
前記主レンズ系は物体側から像側へ順に配置された、正の屈折力の第１レンズ群、負の屈折力の第２レンズ群、正の屈折力の第３レンズ群、負の屈折力の第４レンズ群、正の屈折力の第５レンズ群、正の屈折力の第６レンズ群より構成され、ズーミングに際して隣り合うレンズ群の間隔が変化し、
前記第５レンズ群は前記フォーカスレンズ系であることを特徴とする請求項９に記載の光学系。
【請求項１２】
請求項１乃至請求項１１のいずれか１項に記載の光学系と該光学系によって形成される像を受光する固体撮像素子とを有することを特徴とする撮像装置。
【手続補正２】
【補正対象書類名】明細書
【補正対象項目名】０００８
【補正方法】変更
【補正の内容】
【０００８】
本発明の光学系は、フォーカシングに際して移動するフォーカスレンズ系を有する主レンズ系と、全系の焦点距離を拡大するコンバータレンズ系を有する光学系であって、
前記コンバータレンズ系は、フォーカシングに際して前記フォーカスレンズ系が移動することで形成される空間に挿抜可能であり、
前記コンバータレンズ系は、光軸方向で最も広い空気間隔を境に分けられた、負の屈折力のレンズ部Ｇｎと前記レンズ部Ｇｎの像側に配置された正の屈折力のレンズ部Ｇｐより構成され、
前記レンズ部Ｇｎの焦点距離をｆＮ、前記レンズ部Ｇｐの焦点距離をｆＰとするとき、
−９．３＜ｆＰ／ｆＮ＜−１．０
なる条件式を満足することを特徴としている。
【手続補正３】
【補正対象書類名】明細書
【補正対象項目名】００１１
【補正方法】変更
【補正の内容】
【００１１】
以下、本発明の光学系及びそれを有する撮像装置について説明する。本発明の光学系は、フォーカシングに際して移動するフォーカスレンズ系を備える主レンズ系を有する。更にフォーカスレンズ系がフォーカシングに際して光軸方向に移動することで形成される光軸方向の空間に配置される、全系の焦点距離を長い方向に変位させる光軸上から挿抜可能なコンバータレンズ系とを有する。
【手続補正４】
【補正対象書類名】明細書
【補正対象項目名】００２３
【補正方法】変更
【補正の内容】
【００２３】
図１、図３の実施例１、２のコンバータレンズ系ＥＸＴが装着される主レンズ系ＭＳはズームレンズであり、物体側より像側へ順に配置された、次の如く構成されている。正の屈折力の第１レンズ群Ｌ１、負の屈折力の第２レンズ群Ｌ２、開口絞りＳＰ、正の屈折力の第３レンズ群Ｌ３、負の屈折力の第４レンズ群Ｌ４、正の屈折力の第５レンズ群Ｌ５から構成されている。
【手続補正５】
【補正対象書類名】明細書
【補正対象項目名】００２５
【補正方法】変更
【補正の内容】
【００２５】
図１、図３に示すズームレンズＭＳでは広角端から望遠端へのズーミングに際して、第１レンズ群Ｌ１は像側に凸状の軌跡を取った後で物体側に移動する。第２レンズ群Ｌ２は像側に移動する。第３レンズ群Ｌ３は物体側に移動する。第４レンズ群Ｌ４は物体側に移動する。第５レンズ群Ｌ５は非直線的に移動して変倍に伴う像面変動を補正している。開口絞りＳＰは、物体側に他のレンズ群とは独立に移動する。また、第５レンズ群Ｌ５を光軸上に移動させることにより、変倍に伴う像面変動の補正と共にフォーカシングを行っている。即ち、第５レンズ群Ｌ５はフォーカスレンズ系ＦＬである。
【手続補正６】
【補正対象書類名】明細書
【補正対象項目名】００２８
【補正方法】変更
【補正の内容】
【００２８】
図５、図７の実施例３、４のコンバータレンズ系ＥＸＴが装着される主レンズ系ＭＳはズームレンズよりなり、物体側より像側へ順に配置された、次の如く構成されている。正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５から構成されている。
【手続補正７】
【補正対象書類名】明細書
【補正対象項目名】００３３
【補正方法】変更
【補正の内容】
【００３３】
図９の実施例５のコンバータレンズ系ＥＸＴが装着される主レンズ系ＭＳとしてのズームレンズは物体側より像側へ順に配置された、次の如く構成されている。正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５、正の屈折力の第６レンズ群Ｌ６から構成されている。
【手続補正８】
【補正対象書類名】明細書
【補正対象項目名】００３８
【補正方法】変更
【補正の内容】
【００３８】
各実施例にておいてコンバータレンズ系ＥＸＴは物体側から像側へ順に、次のとおりである。負の屈折力のレンズ群Ｇｎ、正の屈折力のレンズ群Ｇｐから構成し、屈折力配置を適切に設定することにより、全系の焦点距離を長焦点距離化すると共に、コンバータレンズ系ＥＸＴの射出瞳位置の変動を最小限に抑えている。各実施例において、コンバータレンズ系ＥＸＴは光軸方向で最も広い空気間隔を境に分けられた、負の屈折力のレンズ部Ｇｎとレンズ部Ｇｎの像側に配置された正の屈折力のレンズ部Ｇｐより構成されている。レンズ部Ｇｎの焦点距離をｆＮ、レンズ部Ｇｐの焦点距離をｆＰとする。このとき、
−９．３＜ｆＰ／ｆＮ＜−１．０    ・・・（１）
なる条件式を満足する。
【手続補正９】
【補正対象書類名】明細書
【補正対象項目名】００４２
【補正方法】変更
【補正の内容】
【００４２】
コンバータレンズ系ＥＸＴの最も物体側のレンズ面の曲率半径をＲｆ、最も像側のレンズ面の曲率半径をＲｒとする。レンズ部Ｇｎの最も像側のレンズ面の曲率半径をＲｎｒ、レンズ部Ｇｐの最も物体側のレンズ面の曲率半径をＲｐｆとする。光学系Ｌ０はズームレンズであり、コンバータレンズ系ＥＸＴを光軸上に配置（装着）したときのコンバータレンズ系ＥＸＴの最も像側のレンズ面から像面までの光軸上の距離をＳｋとする。コンバータレンズ系ＥＸＴを光軸上に配置していないときの望遠端における主レンズ系ＭＳの最も物体側のレンズ面から像面までの光軸上の距離をＴＤとする。
【手続補正１０】
【補正対象書類名】明細書
【補正対象項目名】００４３
【補正方法】変更
【補正の内容】
【００４３】
光学系Ｌ０はズームレンズよりなり、望遠端におけるフォーカスレンズ系ＦＬの最も像側のレンズ面から像面までの光軸上の距離をＳＳｋ、コンバータレンズ系ＥＸＴの光軸上の厚みをＣＴＤとする。光学系Ｌ０はズームレンズであり、コンバータレンズ系ＥＸＴを光軸上に配置していないときの望遠端における無限遠合焦状態から、コンバータレンズ系ＥＸＴを光軸上に配置する状態までのフォーカスレンズ系ＦＬの移動量をＭとする。移動量の符号は、物体側へ移動するときを正、像側へ移動するときを負とする。
【手続補正１１】
【補正対象書類名】明細書
【補正対象項目名】００４４
【補正方法】変更
【補正の内容】
【００４４】
光学系Ｌ０はズームレンズよりなり、コンバータレンズ系ＥＸＴを光軸上に装着したときの主レンズ系ＭＳの最も物体側のレンズ面から像面までの光軸上の距離をＴＤＡとする。このとき、次の条件式のうち１つ以上を満足するのが良い。
２．０＜（Ｒｆ＋Ｒｒ）／（Ｒｆ−Ｒｒ）＜１００．０              ・・・（２）
−６００．０＜（Ｒｎｒ＋Ｒｐｆ）／（Ｒｎｒ−Ｒｐｆ）＜０．０    ・・・（３）
０．００５＜Ｓｋ／ＴＤ＜０．０６０                              ・・・（４）
０．５０＜ＳＳｋ／ＣＴＤ＜１．４０                              ・・・（５）
０．５０＜Ｍ／ＣＴＤ＜１．４０                                  ・・・（６）
ＴＤ／ＴＤＡ＝１．０                                            ・・・（７）